(57)【要約】【課題】火災受信機の電源を落とすことなく予備電源のバックアップ性能を向上するための増設作業を可能とする。【解決手段】受信機の電源プリント基板１は、通常時は本体バッテリー１５を専用の充電抵抗を介して充電し、停電検出時に主電源回路部１Ａから本体バッテリー１５の電源供給に切り替える。電源プリント基板１に増設予備電源回路１２を実装した増設プリント基板１１を接続する。増設予備電源回路１２は、本体バッテリー１５及び増設バッテリー１７を個別に接続し、通常時は増設バッテリー１７を専用の充電抵抗を介して充電し、停電検出時は本体バッテリー１５の電圧を監視し、規定電圧以下に低下した時に、増設バッテリー１７に切り替える。【選択図】　　　　　図１
2004013257.tif 000002
【特許請求の範囲】
【請求項１】
商用交流電源電圧を所定の直流電源電圧に変換して受信機回路部に供給する電源回路と、
本体バッテリーを接続する本体バッテリー端子を備え、前記商用交流電源電圧を所定の直流電源電圧に変換して本体バッテリーを充電すると共に、前記商用交流電源の停電を検出した際に、前記電源回路による受信機回路部への電源供給を前記本体バッテリー端子からの電源供給に切り替える予備電源回路と、
を備えた火災受信機に於いて、
前記本体バッテリー及び増設バッテリーを個別に接続するバッテリー端子および前記予備電源回路の本体バッテリー端子に接続される予備電源出力端子を有し、前記商用交流電源電圧を所定の直流電源電圧に変換して前記増設バッテリーを充電すると共に、前記商用交流電源の停電検出時に前記予備電源回路を経由して前記受信機回路部に電源を供給している前記本体バッテリーの電圧を監視し、監視電圧が規定電圧以下に低下した時に、前記増設バッテリーからの電源供給に切り替える増設予備電源回路を設けたことを特徴とする火災受信機。
【請求項２】
請求項１記載の火災受信機に於いて、前記増設予備電源回路は、単一の回路基板上に実装され、前記予備電源回路に対し追加設置されることを特徴とする火災受信機。
【請求項３】
請求項１記載の火災受信機に於いて、前記増設予備電源回路は、
前記商用交流電源電圧を所定の直流電源電圧に変換し所定の充電抵抗を介して前記増設バッテリーを充電する充電回路と、
前記商用交流電源電圧を規定の直流電源電圧に変換して各回路部に動作電源を供給する動作電源回路と、
前記動作電源回路の出力電圧を監視して前記商用交流電源の停電を検出する停電検出回路と、
前記本体バッテリーの電圧低下を検出する電圧低下監視回路と、
前記停電検出回路と電圧低下監視回路の両方の検出出力が得られた時に、前記予備電源出力端子に対する前記本体バッテリーからの電源供給ラインを切り離して前記増設バッテリーからの電源供給ラインに切り替える切替回路と、
を備えたことを特徴とする火災受信機。
【請求項４】
請求項２記載の火災受信機に於いて、
前記電圧低下監視回路は、通常時は予備電源回路からの直流電源電圧で動作し、停電検出時は前記本体バッテリーからの直流電源電圧で動作し、
前記切替回路は、通常時は前記動作電源回路からの直流電源電圧で動作し、停電検出時は前記増設バッテリーからの直流電源電圧で動作し、
前記電圧低下監視回路の検出出力をフォトカプラを介して前記切替回路へ入力したことを特徴とする火災受信機。
【発明の詳細な説明】
【０００１】
【発明の属する技術分野】
本発明は、停電時にバッテリーに切り替えて火災監視を行う予備電源回路を備えた火災受信機に関する。
【０００２】
【従来の技術】
従来、火災感知器からの検出信号を受信して火災を警報する火災受信機を用いた防災監視システムにあっては、商用電源で動作する火災受信機に、商用電源の停電時にバッテリーに切り替えてバックアップするための予備電源回路を設けている。
【０００３】
この予備電源回路による停電時のバックアップは、火災受信機により１０分の火災監視動作ができ、その間に火災を受信した場合、１０分間の警報動作を出来るようにすることが規格上要求される。
【０００４】
従来の火災受信機にあっては、既設の火災受信機のもつ６０分間監視１０分間動作というバックアップ性能に対し、例えば２時間監視、２０分間動作といったバックアップ性能の向上を必要とする場合がある。
【０００５】
このように予備電源回路のバックアップ性能を引き上げる場合には、その時点で受信機に搭載しているバッテリーを容量の大きいものに交換するか、同じものを１台増設するようになる。
【０００６】
【発明が解決しようとする課題】
しかしながら、従来の火災受信機にあっては、バックアップ性能を引き上げるためにバッテリー交換やバッテリー増設を行う場合には、バッテリー容量の増加に伴って予備電源回路に設けている充電回路から充電電流を大きくする必要があり、そのため、それまで使用していた充電抵抗を抵抗値の低い充電抵抗と交換する必要がある。
【０００７】
この充電抵抗は、電源回路基板上にハンダ付けで実装されており、これを外して抵抗値の低い充電抵抗と交換する必要がある。この充電抵抗の交換作業のためには電源回路基板を一度外さなければならず、そのため火災受信機の電源を落とす必要があり、交換作業の間、火災受信機の監視機能が失われ、不監視状態になるという問題がある。
【０００８】
本発明は、火災受信機の電源を落とすことなく予備電源のバックアップ性能を向上するための増設作業を可能とする火災受信機を提供することを目的とする。
【０００９】
【課題を解決するための手段】
この目的を達成するため本発明は次のように構成する。まず本発明は、商用交流電源電圧を所定の直流電源電圧に変換して受信機回路部に供給する電源回路と、本体バッテリーを接続する本体バッテリー端子を備え、商用交流電源電圧を所定の直流電源電圧に変換して本体バッテリーを充電すると共に、商用交流電源の停電を検出した際に、電源回路による受信機回路部への電源供給を記本体バッテリー端子からの電源供給に切り替える予備電源回路とを備えた火災受信機を対象とする。
【００１０】
このような火災受信機につき本発明にあっては、本体バッテリー及び増設バッテリーを個別に接続するバッテリー端子および予備電源回路の本体バッテリー端子に接続される予備電源出力端子を有し、商用交流電源電圧を所定の直流電源電圧に変換して増設バッテリーを充電すると共に、商用交流電源の停電検出時に予備電源回路を経由して受信機回路部に電源を供給している本体バッテリーの電圧を監視し、監視電圧が規定電圧以下に低下した時に、増設バッテリーからの電源供給に切り替える増設予備電源回路を設けたことを特徴とする。
【００１１】
このため本発明によれば、火災信機の予備電源回路に設けた本体バッテリー端子に接続している既設の本体バッテリーを取り外し、そこに本発明による増設予備電源回路の予備電源出力端子を接続し、更に増設予備電源回路に個別に設けているバッテリー端子に、取り外した既設の本体バッテリーと増設バッテリーを接続すればよく、増設バッテリーの充電に使用する充電抵抗は、追加する予備電源増設回路に設けているため、既設の予備電源回路に設けている本体バッテリーの充電抵抗をそのまま使用することができ、既設の充電抵抗を交換する必要がないため、火災受信機の電源を落とすことなく、増設バッテリーを追加接続してバックアップ性能を高めることができる。
【００１２】
ここで増設予備電源回路は、単一の回路基板上に実装され、予備電源回路に対し追加設置される。
【００１３】
また増設予備電源回路は、商用交流電源電圧を所定の直流電源電圧に変換し所定の充電抵抗を介して増設バッテリーを充電する充電回路と、商用交流電源電圧を規定の直流電源電圧に変換して各回路部に動作電源を供給する動作電源回路と、動作電源回路の出力電圧を監視して商用交流電源の停電を検出する停電検出回路と、本体バッテリーの電圧低下を検出する電圧低下監視回路と、停電検出回路と電圧低下監視回路の両方の検出出力が得られた時に、予備電源出力端子に対する本体バッテリーからの電源供給ラインを切り離して増設バッテリーからの電源供給ラインに切り替える切替回路とを備えたことを特徴とする。
【００１４】
電圧低下監視回路は、通常時は予備電源回路からの直流電源電圧で動作し、停電検出時は本体バッテリーからの直流電源電圧で動作し、また切替回路は、通常時は動作電源回路からの直流電源電圧で動作し、停電検出時は増設バッテリーからの直流電源電圧で動作し、更に電圧低下監視回路の検出出力をフォトカプラを介して切替回路へ入力し、これにより本体バッテリーと増設バッテリーの間のアイソレーションをとり、放電済みの本体バッテリーへ増設バッテリーからの不要な電流の流れ込みを防ぐ。
【００１５】
【発明の実施の形態】
図１は本発明が適用される火災受信機を備えた防災監視システムの説明図である。
【００１６】
図１において、火災受信機１００からは、電源兼用信号線として機能する感知器回線１０２−１〜１０２−ｎが引き出され、それぞれ複数の火災感知器１０３が接続され、更に終端には断線検出用の終端抵抗１０４を接続している。
【００１７】
火災受信機１００には感知器回線１０２−１〜１０２−ｎに対応して受信回路１０５−１〜１０５−ｎが設けられている。受信回路１０５−１〜１０５−ｎは、感知器回線１０２−１〜１０２−ｎに接続している火災感知器１０３が火災を検出して回線間を低インピーダンスに短絡することによって流れる発報電流を検出して、監視制御部として機能するＭＰＵ１０６に出力する。
【００１８】
ＭＰＵ１０６に対しては、操作部１０７、表示部１０８、主音響部１０９、地区音響制御部１１０、更に移報部１１３が接続されている。地区音響制御部１１０からはベル線１１１が引き出され、地区ベル１１２を接続している。ＭＰＵ１０６は受信回路１０５−１〜１０５−ｎのいずれかより火災受信信号を受けると、表示部１０８に代表火災表示を行うと共に、火災を検出した火災感知器１０３を接続している感知器回線を示す火災地区表示を行う。
【００１９】
同時に、主音響部１０９を駆動して火災警報を出す。また地区音響制御部１１０を駆動し、ベル線１１１に対する駆動電圧の供給で地区ベル１１２を鳴動する。更にＭＰＵ１０６は、移報部１１３に移報表示のための移報信号を出力し、必要に応じて接続されている外部表示ユニット１１４に火災警報表示を行わせる。
【００２０】
火災受信機１００には、本発明が対象とする電源部１０１が設けられている。電源部１０１は商用ＡＣ１００Ｖの供給を受け、火災受信機１００の各回路部に規定の直流電源電圧、例えばＤＣ２４Ｖを供給する。なお説明を簡単にするため、図１の電源部１０１にあってはＤＣ２４Ｖの電源電圧の出力のみを示しているが、実際の火災受信機１００にあってはＤＣ２４Ｖ以外に、ＤＣ１０Ｖ、ＤＣ５Ｖなど必要に応じて適宜の電源電圧を供給できるようにしている。
【００２１】
図２は図１の火災受信機１００に設けている電源部１０１の回路ブロック図であり、本発明による増設予備電源回路を追加する前の電源部の構成を示している。
【００２２】
図２において、電源部１０１は１枚の電源プリント基板１に実装されている。電源プリント基板１には電源入力端子３が設けられ、ここに商用ＡＣ１００Ｖの交流電源２を接続している。電源入力端子３に続いては電源スイッチ４が設けられ、電源スイッチ４に続いてレギュレータ５，６を並列に入力接続している。
【００２３】
レギュレータ５，６は、電源トランス、整流回路、平滑回路及び定電圧回路を内蔵している。レギュレータ５は主電源回路部１Ａを構成しており、ＤＣ２４Ｖを出力し、電源出力端子９から図１のように火災受信機１００の各回路部にＤＣ２４Ｖを供給している。
【００２４】
レギュレータ６は充電回路部１Ｂを構成しており、ＤＣ４８Ｖを出力する。このレギュレータ６からのＤＣ４８Ｖは本体バッテリー端子８ａに接続されており、本体バッテリー端子８ａには本体バッテリー１５が接続される。この本体バッテリー１５を接続した本体バッテリー端子８ａに対するレギュレータ６からの＋側の電源供給ラインには、本体バッテリー１５の充電電流を決める充電抵抗７が挿入接続されている。
【００２５】
主電源回路部１Ａとなるレギュレータ５のＤＣ２４Ｖの電源ライン間には、停電検出回路として動作するＮＶリレー１０が接続されている。ＮＶリレー１０は、交流電源２が正常に供給されている状態にあっては、レギュレータ５からのＤＣ２４Ｖの供給を受けて動作している。
【００２６】
これに対し交流電源２が停電により断たれるとレギュレータ５のＤＣ２４Ｖの出力もなくなり、このためＮＶリレー１０が復旧し、停電検出状態となる。ＮＶリレー１０は切替リレー接点１０ａを有し、切替リレー接点１０ａにより電源出力端子９に対するレギュレータ５からの＋ラインを接続した切替端子ａと、本体バッテリー１５の＋側を接続した切替端子ｂを切り替えるようにしている。
【００２７】
即ち、交流電源２が正常に供給されている通常の運用状態にあってはＮＶリレー１０は作動状態にあり、このため切替リレー接点１０ａは破線のように切替接点ａ側に閉じ、レギュレータ５からのＤＣ２４Ｖを電源出力端子９より受信機回路部に供給している。
【００２８】
このときレギュレータ６からのＤＣ４８Ｖは充電抵抗７を介して本体バッテリー１５に供給され、充電抵抗７で決まる充電電流により本体バッテリー１５を充電状態としている。
【００２９】
一方、停電により交流電源２が断たれると、レギュレータ５のＤＣ２４Ｖの出力がなくなり、ＮＶリレー１０が復旧する。このため切替リレー接点１０ａが実線のようにレギュレータ５の＋側の電源ラインを切り離して切替接点ｂ側に閉じ、本体バッテリー１５から感知器回路部に電源を供給してバックアップする。
【００３０】
この本体バッテリー１５による受信機回路部のバックアップは、例えば６０分間監視動作を可能とし、その間に火災受信があると１０分間動作させるいわゆる「６０分間監視、１０分間動作」のバックアップ性能を持っている。
【００３１】
この図２のような回路構成を持つ電源部１０１に対し本発明にあっては、予備電源のバックアップ性能を向上したい場合には、図３のように電源プリント基板１の本体バッテリー端子８ａに接続している本体バッテリー１５を取り外し、ここに本発明による増設予備電源回路１２を実装した増設プリント基板１１を接続する。
【００３２】
増設プリント基板１１は、電源プリント基板１の本体バッテリー端子８ａに接続する本体バッテリー８ｂを持ち、これに加えてバッテリー端子１４，１６、更に電源入力端子１３を備えている。電源入力端子１３には、電源プリント基板１の電源入力端子３と同じＡＣ１００Ｖの交流電源２を接続する。
【００３３】
バッテリー端子１４には、増設前の図２の本体バッテリー８ａから外した本体バッテリー１５を接続する。更にバッテリー端子１６には、新たに追加する増設バッテリー１７を接続する。
【００３４】
この電源プリント基板１に対する増設プリント基板１１の接続、及び増設プリント基板１１に対する本体バッテリー１５、増設バッテリー１７、更に電源入力端子１３の接続は、電源プリント基板１の電源スイッチ４を切ることなく、電源プリント基板１の電源回路部を生かした状態で行うことができる。
【００３５】
図４は図３の増設プリント基板１１に設けている増設予備電源回路１２の実施形態を示した回路図である。
【００３６】
図４において、増設プリント基板１１の電源入力端子１３には商用ＡＣ１００Ｖの交流電源２が接続され、続いて電源スイッチ１８を設け、電源スイッチ１８に続いてレギュレータ１９，２０を並列に入力接続している。
【００３７】
レギュレータ１９は増設プリント基板１１における動作電源回路部２０Ａを構成し、ＤＣ２４Ｖを出力する。またレギュレータ２０は増設プリント基板１１における充電回路部２０Ｂを構成し、ＤＣ４８Ｖを出力する。
【００３８】
このレギュレータ１９，２０は図２，図３の電源プリント基板１に設けているレギュレータ５，６と同じものであり、電源トランス、整流回路、平滑回路、定電圧回路を内蔵している。
【００３９】
動作電源回路部２０Ａを構成するレギュレータ１９のＤＣ２４Ｖの電源ラインには、停電検出回路を構成するＮＶリレー２２が接続されている。ＮＶリレー２２は、交流電源２が正常に供給されているときはレギュレータ１９のＤＣ２４Ｖを受けて作動し、停電により交流電源２が断たれるとＤＣ２４Ｖの供給がなくなることから、復旧して停電検出状態となる。このＮＶリレー接点２２は、後の説明で明らかにする切替リレー接点２２ａ，２２ｂ，２２ｃを備えている。
【００４０】
充電回路部２０Ｂを構成するレギュレータ２０からのＤＣ４８Ｖは、充電抵抗２１及びＮＶリレー２２の切替リレー接点２２ｂを介してバッテリー端子１６に接続され、このバッテリー端子１６には増設バッテリー１７が接続される。このため充電抵抗２１は、増設バッテリー１７専用の充電抵抗となる。
【００４１】
また増設プリント基板１１のバッテリー端子１４には本体バッテリー１５が接続される。本体バッテリー１５を接続したバッテリー端子１４は、図３の電源プリント基板１の本体バッテリー端子８ｂに接続される。本体バッテリー１５からの電源ラインに対しては電圧低下検出回路２４を設けている。
【００４２】
電圧低下検出回路２４は、抵抗２５、ツェナーダイオード２６、可変抵抗２７、抵抗２８，２９、及びＬＥＤを備えたフォトカプラ発光部３０ａで構成される。抵抗２５、ツェナーダイオード２６、可変抵抗２７及び抵抗２８は、本体バッテリー１５からの電源ライン間に直列接続されている。
【００４３】
またフォトカプラ発光部３０ａに対しては、可変抵抗２７と抵抗２８の接続点の電圧が加えられている。更にフォトカプラ発光部３０ａと並列に、抵抗２９を介して、後の説明で明らかにするリレー３８のリレー接点３８ｂが接続されている。
【００４４】
この電圧低下検出回路２４は、本体バッテリー１５からのバッテリー電圧がツェナーダイオード２６で決まる一定電圧以下となったとき、電圧低下検出信号を動作電源回路部２０Ａ側に設けている切替回路３１に出力する。
【００４５】
即ち、本体バッテリー１５が図３の電源プリント基板１側からの充電電流の供給を受けてツェナーダイオード２６で決まる規定電圧に対し十分高いバッテリー電圧にあるとき、ツェナーダイオード２６は導通し、可変抵抗２７と抵抗２８の分圧電圧をフォトカプラ発光部３０ａに供給し、フォトカプラ発光部３０ａを発光駆動している。
【００４６】
これに対し、停電により図３の電源プリント基板１側のＮＶリレー１０の復旧で切替リレー接点１０ａが本体バッテリー端子８ａ側の切替リレー接点ｂに切り替わりると、図４の増設プリント基板１１を介して本体バッテリー１５からの電源供給が行われるが、この本体バッテリー１５による監視状態が継続するにつれ、本体バッテリー１５のバッテリー電圧が低下し、ツェナーダイオード２６で決まる規定電圧以下になるとツェナーダイオード２６が非導通となり、これによってフォトカプラ発光部３０ａの発光が停止し、切替回路３１に対する電圧低下検出信号の出力状態となる。
【００４７】
切替回路３１は、ＮＶリレー２２による停電検出と電圧低下検出回路２４による本体バッテリー１５の電圧低下の検出の両方が得られたときに、本体バッテリー端子８ｂに対する本体バッテリー１５の電源ラインを切り離し、増設バッテリー１７からの電源ラインの接続に切り替える。
【００４８】
このため切替回路３１には、電圧低下検出回路２４のフォトカプラ発光部３０ａからの信号を受光するフォトカプラ受光部３０ｂが設けられる。フォトカプラ受光部３０ｂはフォトトランジスタであり、そのコレクタに抵抗３２を接続し、またコレクタを抵抗３３でバイアスされたトランジスタ３４のベースに接続している。
【００４９】
トランジスタ３４は、そのコレクタを抵抗３５，３６でバイアスされたトランジスタ３７のベースに接続し、トランジスタ３７はコレクタ負荷としてリレー３８を接続している。リレー３８はリレー接点３８ａ，３８ｂを持っている。
【００５０】
一方のリレー接点３８ａは、ＮＶリレー２２の切替リレー接点２２ｃと直列接続され、この直列回路にリレー４０を接続している。またリレー接点３８ｂは、電圧低下検出回路２４のフォトカプラ発光部３０ａに抵抗２９を介して並列接続されている。
【００５１】
リレー４０は、ＮＶリレー２２による停電検出時の切替リレー接点２２ｃの切替接点ｂ側への切替えと、電圧低下検出回路２４による本体バッテリー１５の電圧低下検出によるリレー３８が作動したときのリレー接点３８ａが閉じることにより作動する。即ちリレー４０は、停電検出が行われ且つ本体バッテリー１５の電圧低下が検出されたときに作動する。
【００５２】
リレー４０は切替リレー接点４０ａとリレー接点４０ｂを持っている。切替リレー接点４０ａは本体バッテリー１５から本体バッテリー端子８ｂに対する＋側の電源ラインに挿入接続される。リレー４０が非作動となる通常時にあっては、切替リレー接点４０ａは切替接点ａ側に図示のように閉じ、本体バッテリー１５の＋側の電源ラインを本体バッテリー端子８ｂに接続している。
【００５３】
これに対し、ＮＶリレー２２による停電検出及び電圧低下検出回路２４による本体バッテリー１５の電圧低下の両方の検出に基づきリレー４０が作動すると、切替リレー接点４０ａを切替接点ｂ側に閉じ、本体バッテリー端子８ｂから本体バッテリー１５を切り離し、同時に増設バッテリー１７を接続する。
【００５４】
ここで、増設バッテリー１７からの＋側の電源ラインにはＮＶリレー２２の切替リレー接点２２ｂが挿入されている。切替リレー接点２２ｂは、通常時にあってはＮＶリレー２２が作動していることから切替接点ａ側に閉じ、レギュレータ２０からのＤＣ４８Ｖを充電抵抗２１を介して増設バッテリー１７に供給して充電を行っている。
【００５５】
停電検出時にＮＶリレー２２が復旧すると、切替リレー接点２２ｂは切替接点ｂ側に切り替わり、増設バッテリー１７を本体バッテリー端子８ｂ側への電源ラインに切り替える。
【００５６】
更に切替回路３１側には付属電源出力端子４２が設けられ、通常時は動作電源回路部２０Ａから電源供給を受け、停電時には増設バッテリー１７からバックアップを受けるようにしている。
【００５７】
次に図３の増設プリント基板１１に実装している本発明による増設予備電源回路１２の動作を、図３の電源プリント基板１の動作と共に説明する。
【００５８】
ＡＣ１００Ｖを供給している交流電源が停電すると、図３における電源プリント基板１及び増設プリント基板１１に対する交流電源２からの電源供給が停止する。このため電源プリント基板１にあっては、レギュレータ５からのＤＣ２４Ｖが断たれたときにＮＶリレー１０が復旧し、その切替リレー接点１０ａを切替接点ａ側から切替接点ｂ側に切り替え、本体バッテリー端子８ａの接続に切り替える。
【００５９】
このとき増設プリント基板１１にあっては、図３の増設予備電源回路１２のように、本体バッテリー端子８ｂに対しバッテリー端子１４を介して、本体バッテリー１５はリレー４０の切替リレー接点４０ａを介して接続されており、このため本体バッテリー１５から増設予備電源回路１２を経由して電源プリント基板１にバッテリー電圧が供給され、電源プリント基板１の切替リレー接点１０ａ、更に電源出力端子９より受信機回路部に本体バッテリー１５によるバッテリー電圧の供給が行われる。
【００６０】
一方、図４の増設プリント基板１１にあっては、停電と同時にレギュレータ１９のＤＣ２４Ｖが断たれることでＮＶリレー２２が復旧し、切替リレー接点２２ａが切替接点ｂ側に切り替わり、また切替リレー接点２２ｂも切替接点ｂ側に切り替わり、切替回路３１に対し増設バッテリー１７からのバッテリー電圧が動作電圧として供給される。更に切替回路３１に設けている切替リレー接点２２ｃも切替接点ｂ側に切り替わり、リレー４０を作動させるための停電検出条件が成立する。
【００６１】
この本体バッテリー１５からのバッテリー電圧の供給によるバックアップ状態で、バッテリー電圧が十分に高い場合には、電圧低下検出回路２４のツェナーダイオード２６が導通し、フォトカプラ発光部３０ａが発光駆動されることで、切替回路３１のフォトカプラ受光部３０ｂがオンし、トランジスタ３４のベースを引き込んでオフ状態とし、これによってトランジスタ３７もオフし、リレー３８は非作動状態となっている。
【００６２】
このような本体バッテリー１５からのバッテリー電圧の供給により、バックアップ性能として補償された監視時間となる６０分に近づくと、本体バッテリー１５からのバッテリー電圧が低下し、ツェナーダイオード２６で決まる規定電圧以下となったとき、ツェナーダイオード２６がオフし、フォトカプラ発光部３０ａの発光駆動が停止し、電圧低下検出回路２４による電圧低下検出出力が切替回路３１に出力される。
【００６３】
これにより切替回路３１のフォトカプラ受光部３０ｂに対する受光入力が断たれてオフし、トランジスタ３４がオンする。トランジスタ３４がオンするとトランジスタ３７もオンし、リレー３８が作動する。
【００６４】
リレー３８の作動によりリレー接点３８ａが閉じ、このとき既に切替リレー接点２２ｃは切替接点ｂ側に切り替わっているため、リレー４０が作動する。なお切替回路３１のリレー３８が作動すると、電圧低下検出回路２４に設けているリレー接点３８ｂを閉じ、本体バッテリー１５のバッテリー電圧が負荷の変動などにより回復してツェナーダイオード２６が導通しても、リレー接点３８ｂを閉じたことによりフォトカプラ発光部３０ａに流れる電流をバイパスし、電圧低下検出回路２４による電圧低下検出出力、即ちフォトカプラ発光部３０ａの発光停止を保持する。
【００６５】
ＮＶリレー２２による停電検出と、これに続く電圧低下検出回路２４による本体バッテリー１５の電圧低下検出に基づき、切替回路３１でリレー４０が作動されると、その切替リレー接点４０ａが切替接点ｂ側に切り替わり、同時にリレー接点４０ｂが閉じ、本体バッテリー端子８ｂに接続していた本体バッテリー１５を切り離し、増設バッテリー１７の接続に切り替える。
【００６６】
これによって本体バッテリー１５からのバッテリー電圧の供給が増設バッテリー１７からのバッテリー電圧の供給に切り替わり、本体バッテリー１５と同じ容量の増設バッテリー１７を使用していたとすると、更に「監視６０分間、動作１０分間」となるバックアップ性能を得ることができる。
【００６７】
これによって、全体的には本体バッテリー１５と増設バッテリー１７によって増設前の２倍となる「２時間監視、２０分間動作」となるバックアップ性能を確保することができる。
【００６８】
また図３のように、既存の火災受信機１００に設けている電源部の電源プリント基板１に対し、増設プリント基板１１を接続し、本体バッテリー１５及び増設バッテリー１７を接続する場合には、電源プリント基板１による受信機回路部に対する電源供給を切る必要はない。
【００６９】
即ち、電源プリント基板１には本体バッテリー１５専用の充電抵抗７がもともと設けられており、一方、図４の増設プリント基板１１には新たに増設バッテリー１７用の充電抵抗２１が設けられており、本体バッテリー１５に加えて増設バッテリー１７を接続しても、それぞれ専用の充電抵抗７，２１を持つことから、電源プリント基板１に設けている充電抵抗７をバッテリー容量の増加に伴って抵抗値の低い充電抵抗に変える作業は不要である。
【００７０】
これによって増設バッテリー１７を追加する際に火災受信機の電源を落とす必要がなく、火災監視状態を維持したまま増設バッテリー１７を追加することができる。
【００７１】
なお上記の実施形態は、既設の火災受信機１００の電源部について増設バッテリー１７を追加する場合を例にとるものであったが、火災受信機の製造組立段階にあっても、既存の火災受信機について全く同様にして増設プリント基板１１を介して本体バッテリー１５、増設バッテリー１７を接続する作業を行うことで、停電時のバックアップ性能を簡単に向上させることができる。
【００７２】
また上記の実施形態は、本体バッテリー１５に対し同じ容量の増設バッテリー１７を追加してバックアップ性能をほぼ２倍とする場合を例にとるものであったが、更にバックアップ性能を向上したければ、増設バッテリー１７の容量を大きくするか、バッテリー端子１６に複数台の増設バッテリー１７を並列接続すればよい。
【００７３】
この場合の充電抵抗２１は増設バッテリー１７のバッテリー容量に見合った抵抗値を使用すればよく、この場合にも増設対象となる電源プリント基板１側の充電抵抗７はそのままでよいことから、火災受信機の電源を落とすことなく、バックアップ性能を向上させるための増設バッテリー１７の追加作業が簡単にできる。
【００７４】
【発明の効果】
以上説明してきたように本発明によれば、受信機の本体バッテリーを取り外し、そこに増設予備電源回路を接続し、また増設予備電源増設回路に、個別に設けているバッテリー端子に既設の本体バッテリーと増設バッテリーを接続すればよく、更に増設バッテリーの充電抵抗は追加する増設予備電源回路に設けているため、受信機の予備電源回路側に設けている本体バッテリー用の充電抵抗をそのまま使用することができ、既設の充電抵抗を交換する必要がないため、火災受信機の電源を落とすことなく、増設バッテリーを追加接続して、停電時のバックアップ性能を簡単且つ容易に高めることができる。
【００７５】
また増設予備電源回路は単一の回路基板上に実装されており、受信機に既に設けている予備電源回路の本体バッテリー端子に対し接続するだけで、本体バッテリーに加え増設バッテリーを接続することができ、既存の火災受信機に対し簡単に増設バッテリーを接続してバックアップ性能を高めることができる。
【図面の簡単な説明】
【図１】本発明が適用される火災受信機を備えた防災監視システムの説明図
【図２】バッテリー追加前の電源部における電源プリント基板の回路ブロック図
【図３】図２の電源プリント基板にバッテリーを追加した本発明の実施形態の回路ブロック図
【図４】図３で増設した本発明による増設予備電源回路の実施形態を示した回路図
【符号の説明】
１：電源プリント基板
１Ａ：主電源回路部
１Ｂ：充電回路部
２：交流電源
３，１３：電源入力端子
４，１８：電源スイッチ
５，６，１９，２０：レギュレータ
７，２１：充電抵抗
８ａ，８ｂ：本体バッテリー端子
９：電源出力端子
１０，２２：ＮＶリレー
１１：増設プリント基板
１２：増設予備電源回路
１４，１６：バッテリー端子
１５：本体バッテリー
１７：増設バッテリー
２０Ａ：動作電源回路部
２０Ｂ：充電回路部
２４：電圧低下検出回路
２６：ツェナーダイオード
３０ａ：フォトカプラ発光部
３０ｂ：フォトカプラ受光部
３１：切替回路
３４，３７：トランジスタ
３８，４０：リレー
４２：付属電源出力端子
【図１】
2004013257.tif 000003
【図２】
2004013257.tif 000004
【図３】
2004013257.tif 000005
【図４】
2004013257.tif 000006